(57)【特許請求の範囲】
【請求項１】
容器本体の後端縁部に蓋体が開閉自在に取付けられ、上記容器本体の前端縁部に凹所が設けられ、その凹所内に係合部が形成され、上記蓋体の前端縁部に被係合部が形成されているとともに、フックピースを取付ける凹部が設けられ、その凹部にフックピースが揺動自在に取付けられており、上記係合部と上記被係合部との係合により閉蓋状態が保持され、上記フックピースを奥側に押圧し、揺動させることによって前記係合が解除され、開蓋状態になるコンパクト容器であって、上記容器本体の凹所が、奥側および左右の垂直部と、この奥側垂直部から手前側に向かって下り傾斜となる傾斜底壁面と、さらにその手前側の水平底壁面とで形成され、その奥側垂直部に蓋体の被係合部と係合する係合部が形成されており、上記蓋体のフックピース取付け用凹部が蓋体前端縁部の内側に設けられ、その左右内壁面に、フックピースの係合軸部と係合する係合凹部が形成され、この係合凹部が蓋体の被係合部より手前側に位置決めされるとともに、上記フックピース取付け用凹部内に凹凸の方向が異なる複数のアンダーカット部が形成されており、上記フックピースが平板状体からなり、その上端部に左右方向に延びる係合軸部が形成され、その下端が閉蓋状態において上記凹所の水平底壁面に当接するよう位置決めされ、上記フックピース取付け用凹部内に形成された凹凸の方向が異なる複数のアンダーカット部により抜け落ちが防止されており、閉蓋状態において上記フックピースを奥側に押圧することにより、その下端を上記凹所の底壁面に沿った状態で揺動させ、蓋体前端縁部を持ち上げて前記係合を解除するようになっていることを特徴とするコンパクト容器。
【請求項２】
上記平板状フックピースの下端が、その下端縁から奥側に向かって延びる凸部を含んでいる請求項１記載のコンパクト容器。
【請求項３】
上記平板状フックピースの、蓋体の被係合部に対応する部分が、薄肉に切り欠かれている請求項１または２記載のコンパクト容器。
【発明の詳細な説明】
【技術分野】
【０００１】
本発明は、小型化を図ることのできる、操作性に優れるコンパクト容器に関するものである。
【背景技術】
【０００２】
従来、コンパクト容器として、容器本体の前端縁部の凹所に、摺動自在のフックピースを設け、このフックピースを奥側に押圧すると、蓋体と容器本体との係止が解除され、蓋体が上方へ開くようになっているものが知られている。しかしながら、このコンパクト容器では、フックピースが容器本体の前端縁部に設けられているため、開蓋状態にするための操作手順としては、例えば、左手の親指でフックピースを押圧して上記係止を解除した後に、右手の親指で蓋体を充分な角度まで押し上げる、というような二動作が必要であり、操作性に欠ける、という問題がある。また、フックピースが容器本体の前端縁部に設けられているため、容器本体の前端縁部にフックピースを収める余分なスペースが必要となり、コンパクト容器の小型化を図りにくい、という問題もある。
【０００３】
上記操作性に欠ける、という問題を解消するため、例えば、図１３（ａ）に示すようなコンパクト容器が提案されている（特許文献１参照）。このコンパクト容器は、容器本体４１の前端縁部に切欠凹所４５を形成するとともに、この切欠凹所４５の奥部に第１の係合突起４３を設け、蓋体４０の前端縁部にフックピース４２を取付けるとともに第２の係合突起４４を設け、蓋体４０を容器本体４１に対して閉じた時に上記第１の係合突起４３と上記第２の係合突起４４とが係止するようになっており、蓋体４０側に取付けられたフックピース４２を奥側に押すことにより、上記係止を解消して開蓋状態にすることができるようになっている。
【先行技術文献】
【特許文献】
【０００４】
【特許文献１】実公平４−５１６８６号公報
【発明の概要】
【発明が解決しようとする課題】
【０００５】
しかしながら、特許文献１に例示されるような、フックピース４２を蓋体４０側に設けたコンパクト容器では、フックピース４２の回動中心４２ａが、これを製造する金型の関係で、第２の係合突起４４に対して奥側に設けられている。これは、樹脂成形体の多くが射出成形機によって製造されているが、上記フックピース４２の取付け部分のように、金型の型締型開方向に対して垂直方向に突出する、いわゆるアンダーカット部を有するものは、そのままでは脱型できないため、分割型を組み合わせたり、型の一部を進退させたりすることによって、上記アンダーカット部を無理なく脱型することが必要であることに起因する。すなわち、フックピース４２の取付け部分は、フックピース４２をはめ込むための凹部内に、アンダーカット部となる第２の係合突起４４を設ける必要があり、その金型構造が複雑となるため、凹部内にアンダーカット部を有するフックピース４２の取付け部分を、蓋体４０の前端ぎりぎりに設けることができない。
【０００６】
このように、フックピース４２が蓋体４０に取付けられた従来のコンパクト容器では、凹部内のアンダーカット部分を、蓋体の前端ぎりぎりに設けることができず、フックピース４２の取付け位置が、第２の係合突起４４に対して奥側に設けられている。この構成によれば、閉蓋状態からフックピース４２を奥側に押圧するときの力が、図１３（ａ）に示すように、まず、容器本体４１の切欠凹所４５の底部に向かって、白抜き矢印で示すように、斜め下向きに働くため、フックピース４２によって蓋体４０を持ち上げる方向とは逆の方向になる。したがって、フックピース４２の揺動方向に押圧する力を、上向きの力として充分に利用することができず、開蓋に必要以上に強い力が要求される。よって、片手で開蓋ができるという点での利便性は向上したものの、対象ユーザーである女性にとっては、かえって操作性が悪いという問題が生じている。また、フックピース４２の取付け位置が、第２の係合突起に対して奥側に設けられており、開蓋時に、奥側へ押圧されるフックピース４２が、第２の係合突起４４に当たって揺動が制限されるのを回避するため、フックピース４２と第２の係合突起４４との間に揺動に必要な充分の空間を設ける必要がある。したがって、容器本体４１の前端縁部にフックピース４２を設けるスペースが不要になっても、上記蓋体４０側のフックピース４２揺動のために、比較的大きなスペースが新たに必要となるため、コンパクト容器の小型化を充分に達成したとはいえない。
【０００７】
本発明は、このような事情に鑑みなされたもので、蓋体の開閉操作が容易で、しかも余分なスペースが不要で、容器の小型化を図ることのできるコンパクト容器の提供をその目的とする。
【課題を解決するための手段】
【０００８】
上記の目的を達成するため、本発明のコンパクト容器は、容器本体の後端縁部に蓋体が開閉自在に取付けられ、上記容器本体の前端縁部に凹所が設けられ、その凹所内に係合部が形成され、上記蓋体の前端縁部に被係合部が形成されているとともに、フックピースを取付ける凹部が設けられ、その凹部にフックピースが揺動自在に取付けられており、上記係合部と上記被係合部との係合により閉蓋状態が保持され、上記フックピースを奥側に押圧し、揺動させることによって前記係合が解除され、開蓋状態になるコンパクト容器であって、上記容器本体の凹所が、奥側および左右の垂直部と、この奥側垂直部から手前側に向かって下り傾斜となる傾斜底壁面と、さらにその手前側の水平底壁面とで形成され、その奥側垂直部に蓋体の被係合部と係合する係合部が形成されており、上記蓋体のフックピース取付け用凹部が蓋体前端縁部の内側に設けられ、その左右内壁面に、フックピースの係合軸部と係合する係合凹部が形成され、この係合凹部が蓋体の被係合部より手前側に位置決めされるとともに、上記フックピース取付け用凹部内に凹凸の方向が異なる複数のアンダーカット部が形成されており、上記フックピースが平板状体からなり、その上端部に左右方向に延びる係合軸部が形成され、その下端が閉蓋状態において上記凹所の水平底壁面に当接するよう位置決めされ、上記フックピース取付け用凹部内に形成された凹凸の方向が異なる複数のアンダーカット部により抜け落ちが防止されており、閉蓋状態において上記フックピースを奥側に押圧することにより、その下端を上記凹所の底壁面に沿った状態で揺動させ、蓋体前端縁部を持ち上げて前記係合を解除するようになっていることをその要旨とする。
【０００９】
本発明者らは、蓋体側にフックピースを取付けるコンパクト容器に関して、操作性の向上および小型化を図ることを目的に、研究を重ねた。そして、その過程で、蓋体の前端の手前側ぎりぎりにフックピースを取付けるための凹部を設けることができれば、フックピースを奥側に押圧するための大きな力が不要となり、コンパクト容器の開閉の操作性が向上するとともに、フックピースと蓋体の被係合部との間のスペースが狭くても、フックピースの動きが制限されず、コンパクト容器の小型化が図れるのではないかと想起した。そこで、蓋体の前端の手前側ぎりぎりにフックピースを取付けるための凹部を容易に設けることができないか、さらに研究を重ねた。その結果、金型を工夫することにより、上記凹部を有する蓋体を、簡単に脱型できることを突き止め、本発明に至った。すなわち、本発明は、従来、蓋体の前端ぎりぎりに複数の凹凸の方向が異なる複数のアンダーカット部を容易に設けることができない、という常識を打破してなされたものである。
【発明の効果】
【００１０】
このように、本発明のコンパクト容器は、従来の常識とは全く異なり、蓋体のフックピース取付け用凹部が、被係合部より手前側の前端ぎりぎりに形成されるとともに、そのフックピース取付け用凹部内に凹凸の方向が異なる複数のアンダーカット部が形成されている。このため、取り付けられたフックピースの抜け落ちが防止され、閉蓋状態において、この部分に取付けられたフックピースを奥側に押圧するときの力が、図１３（ｂ）の白抜き矢印で示すように、これを斜め上方向に押し上げるように働き、フックピースを揺動させる力が、そのまま蓋体を持ち上げる力となる。そのため、従来の同種のコンパクト容器の開蓋時に必要とされる強い力が不要となり、操作性が向上している。また、フックピースが平板状体からなるため、揺動のためのスペースも狭くてすむ。そして、上記容器本体の凹所が奥側および左右の垂直部と、この奥側垂直部から手前側に向かって下り傾斜となる傾斜底壁面と、さらにその手前側の水平底壁面とで形成され、フックピースの下端が、閉蓋状態において上記水平底壁面に当接するよう位置決めされているため、携帯時にコンパクト容器を落下させる等の衝撃によって上下方向から力が加わっても、その力によってフックピースが揺動することがなく、開蓋することがない。
【００１１】
また、本発明のなかでも、平板状フックピースの下端が、その下端縁から奥側に向かって延びる凸部を含んでいるものは、閉蓋状態において、その下端が上記凹所の水平壁と当接する部分がより広くなるため、より衝撃に対して強いコンパクト容器となる。
【００１２】
そして、本発明のなかでも、上記平板状フックピースの、蓋体の被係合部に対応する部分が、薄肉に切り欠かれているものは、フックピースの揺動に必要な空間をさらに少なくすることができる。
【００１３】
なお、本発明において、「奥側」、「手前側」とは、コンパクト容器のフックピースが取付けられる面を正面としておいた場合に、その正面側を「手前側」といい、背面側（ヒンジ部によって蓋体が容器本体に取付けられる側）を「奥側」という。
【図面の簡単な説明】
【００１４】
【図１】本発明の一実施例の斜視図である。
【図２】上記実施例の閉蓋状態の斜視図である。
【図３】図２のＸ−Ｘ断面図である。
【図４】上記実施例におけるフックピースの説明図である。
【図５】（ａ）は、図４のＹ−Ｙ断面図、（ｂ）は、図２のＸ−Ｘ断面における容器本体の部分拡大図である。
【図６】上記実施例における蓋体の部分的な拡大説明図である。
【図７】上記実施例における蓋体およびフックピースの部分的な拡大説明図である。
【図８】上記実施例における蓋体およびフックピースの部分的な拡大説明図である。
【図９】上記実施例における蓋体およびフックピースの部分的な拡大説明図である。
【図１０】上記実施例における蓋体の製法の説明図である。
【図１１】上記実施例における蓋体の製法の説明図である。
【図１２】上記実施例における蓋体の製法の説明図である。
【図１３】（ａ）は、従来容器の部分的な説明図である。（ｂ）は、本発明の一実施例の部分的な説明図である。
【発明を実施するための形態】
【００１５】
つぎに、本発明を実施するための形態について説明する。ただし、本発明は、この実施の形態に限定されるものではない。
【００１６】
図１は、本発明を実施するための形態であるコンパクト容器Ａの斜視図であり、１は容器本体、２は蓋体である。上記容器本体１は、平面視が８ｃｍ×８ｃｍの略正方形の形状で、ポリエチレンテレフタレート（以下「ＰＥＴ」という）製である。蓋体２は容器本体１の上面全体を蓋する形状で、同じくＰＥＴ製である。なお、上記蓋体２の後端部には、下向きにヒンジ部３が突設されており、このヒンジ部３が容器本体１の後端の溝部４と係合することにより、蓋体２が上方に開くようになっている。図２は、閉蓋時のコンパクト容器の斜視図である。なお、図１および図２において、各部分は模式的であり、実際の大きさとは異なっている（以下の図においても同じ）。
【００１７】
上記容器本体１は、図１および図２のＸ−Ｘの断面図である図３に示すように、化粧料が充填された中皿等を収容するための収容凹部５が設けられ、容器本体１の前端縁中央部分には、凹所６が形成されている。この凹所６は、左右の垂直部６ａ，６ｂと、奥側垂直部７と、この奥側垂直部７から手前側に向かって下り傾斜となる傾斜底壁面８と、さらにその手前側の水平底壁面９とを有している。上記奥側垂直部７の上部には、この部分の一部拡大図である図５（ｂ）に示すように、係合部１０が形成されており、上記傾斜底壁面８の傾斜角αは、水平底壁面９に対し、約４５°に形成されている。また、上記水平底壁面９の長さｉは、２．５ｍｍに形成されている。
【００１８】
上記蓋体２は、内側に鏡１１が装着され、前端縁部にフックピース１２を揺動自在に取付けるための凹部１３が設けられている（図１に戻る）。この凹部１３について、より詳しく説明すると、蓋体の部分的な拡大説明図である図６に示すように、凹部１３の奥側に、被係合部１４が形成されている。また、被係合部１４の左右には、フックピース１２の係合軸部１９を取付けるための係合凹部１６と、これを保持するための突起である保持部１７とが設けられている。保持部１７は、アンダーカット部１８を有し、この部分が、凹部１３内に取付けたフックピース１２の抜け落ち防止効果を果たすようになっている。
【００１９】
上記フックピース１２は、容器本体１および蓋体２と同様にＰＥＴ製であり、図４に示すように、平板状体に形成されており、その上端部に左右方向に延びる係合軸部１９を有している。なお、その断面図を図５（ａ）に示す。そして、その裏面の中央部分が、蓋体の被係合部１４に対応する部分が薄肉に切り欠かれた縦溝部２０に形成されているとともに、この切り欠かれた部分以外の下端縁が、表面とは逆の方向に向かって延びる凸部１２ａに形成されている（図７参照）。この凸部１２ａの突出幅ｈは、約１．５ｍｍである（図５（ａ）参照）。そして、フックピース１２の係合軸部１９を、蓋体の係合凹部１６にはめ込むことにより（図７および図８参照）、図９に示すように、フックピース１２を前後に揺動可能に蓋体２に取付けることができる。
【００２０】
上記凹部１３を有する蓋体２は、例えば、係合凹部１６およびアンダーカット部１８を有する保持部１７部分を形成するための傾斜型２７（図１０参照）と、被係合部１４を形成するための傾斜型３２（図１１参照）等を備えた特殊な金型を用いて形成することができる。
【００２１】
すなわち、この金型は、図１０および図１１に示すように、主に蓋体２の係合凹部１６およびアンダーカット部１８を有する保持部１７部分を賦形するための傾斜型２７と、主に蓋体２の被係合部１４を賦形するための傾斜型３２とを備えている。また、これらの他、主として表面を賦形するためのキャビティ型２１と、主として裏面を賦形するためのコア型３０と、コア型３０の下方に配置されているベース台２３等を備えている。
【００２２】
上記コア型３０は、コアエレメント２８と、これを支受するガイドエレメント２９とを合わせた構造になっており、コア型３０を進退方向に貫通するガイド孔３１，３４が並んで設けられている。また、上記傾斜型２７が、上記ガイド孔３１に挿通されその側面がガイド孔３１の傾斜に沿ってスライド自在に配置されており、上記傾斜型３２が、上記ガイド孔３４に挿通されその側面がガイド孔３４の傾斜に沿ってスライド自在に配置されている。
【００２３】
そして、傾斜型２７，３２の下端部は、前記ベース台２３に設けられた摺動用のガイドブロック２６，３３に、それぞれ摺動自在な状態で係止されている。なお、上記ベース台２３は、ガイドブロック２６，３３を取付けるために、上下２枚のベースプレート２４，２５を組み合わせた構造になっており、不動の台座３６に、昇降自在に取付けられている。
【００２４】
上記ガイドブロック２６は、その傾斜型２７の摺動面２６ａが手前側（図１０において左側）に向かって３０°の下り傾斜に形成されており、傾斜型２７が、後述するように、ガイド孔３１の傾斜に沿ってスライドすると、その動作に伴い、傾斜型２７の下端面が、３０°の傾斜角を維持した姿勢のまま斜めに摺動するようになっている（図１０参照）。また、上記ガイドブロック３３は、傾斜型３２が、ガイド孔３４の傾斜に沿ってスライドすると、その動作に伴い、傾斜型３２の下端面が、水平方向に摺動するようになっている（図１１参照）。
【００２５】
上記凹部１３を有する蓋体２は、上記の金型を用い、例えば、つぎのようにして得ることができる。
【００２６】
すなわち、上記傾斜型２７，３２が、蓋体２に対して図１２のように配置された金型を、射出成形機に取付け、型締めすることにより、キャビティ型２１とコア型３０とを互いに閉じ合わせる（図１０，図１１参照）。このとき、ガイド孔３１，３４内に挿通された傾斜型２７，３２は、ガイド孔３１，３４の傾斜面によって、コア型３０に押し付けられた状態になり、閉じ合わせられる。これにより、上記キャビティ型２１とコア型３０と傾斜型２７，３２とで、蓋体２（係合凹部１６およびアンダーカット部１８を有する保持部１７部分および被係合部１４部分を含む）を賦形するための空間が形成される。
【００２７】
そこで、上記賦形用空間内に、所定の経路（図示せず）を経由して、樹脂材料を高圧で射出し、冷却することにより、目的とする、凹部１３を有する形状の蓋体２を得ることができる。
【００２８】
そして、型開きにより上記蓋体２を取り出す際には、まず、ベース台２３を上昇させることにより傾斜型２７，３２を上昇させ、同時に上記コア型３０も上昇させる。つぎに、傾斜型２７，３２をコア型３０よりさらに上昇させる。この動作に伴い、コア型３０のガイド孔３１，３４から、傾斜型２７，３２の上端部が上方に突出するとともに、傾斜型２７，３２の側面が、上記ガイド孔３１，３４の傾斜面に沿ってスライドし、矢印で示すように、上記傾斜型２７，３２がそれぞれ後方に開く。これにより、上記蓋体２が型抜き可能な状態になり、取り出すことができる。なお、上記傾斜型２７が後方に開く際、傾斜型２７は、その下端部が、ガイドブロック２６の傾斜した摺動面２６ａに沿って摺動するため、その傾斜姿勢が後方に３０°傾斜した姿勢を保った状態のまま後方に開くようになっている。このため、アンダーカット部を有する部分の型抜きを、３０°斜め方向に、安定した状態でスムーズに行うことができる。
【００２９】
このようにして得られた蓋体２は、その前端ぎりぎりに、凹部内にさらにアンダーカット部を有する、すなわち、複数の凹凸の方向が異なる複数のアンダーカット部を有する、フックピース取付け用の凹部１３が設けられている。そして、この凹部１３が、被係合部１４より手前側に位置決めされているため、コンパクト容器Ａは、すでに図１３（ｂ）を用いて説明したように、開蓋状態にするためにフックピース１２を奥側へ押圧する力が軽くなり、操作性が向上する。また、上記容器本体１の凹所６が、奥側垂直部７および左右の垂直部６ａ，６ｂと、奥側垂直部７から手前側に向かって下り傾斜となる傾斜底壁面８と、さらにその手前側の水平底壁面９とで形成され、フックピース１２の下端が閉蓋状態で、上記水平底壁面９に当接するよう位置決めされているため、上下方向から力が加わっても、その力がフックピース１２を揺動させることがほとんどなく、携帯時にコンパクト容器Ａを落下させる等の衝撃によって開蓋することがない。
【００３０】
そして、フックピース１２が平板状体からなり、その左右の側端部に左右方向に延びる係合軸部１９が形成されているため、フックピース１２を設けるスペースが最小化され、揺動に必要なスペースも狭くてすむ。また、フックピース１２の奥側面の一部が、蓋体２の被係合部１４に対応する部分が、薄肉に切り欠かかれた縦溝部２０に形成されているため、フックピース１２の揺動に必要なスペースをさらに狭くすることができ、より省スペース化を図ることができる。さらに、フックピース１２が、その下端縁から奥側に延びる凸部１２ａを含んでいるため、容器本体１の凹所６の水平底壁面９と当接する面積が広くなり、コンパクト容器Ａを落下させる等の衝撃を与えても簡単に開蓋せず、より衝撃に対して強いものとなる。
【００３１】
上記の例において、容器本体１、蓋体２およびフックピース１２は、いずれもＰＥＴからなるが、その他の可撓性を有する合成樹脂等を用いることができ、それぞれを同一の樹脂または異なる樹脂からなるようにしてもよい。なかでも、合成樹脂として、ＰＥＴ，メタクリル樹脂（ＰＭＭＡ），アクリロニトリル・スチレン樹脂（ＡＳ），アクリロニトリル・ブタジエン・スチレン樹脂（ＡＢＳ），ポリプロピレン（ＰＰ）を用いると、成形性，耐久性，軽量性の点で好ましい。
【００３２】
上記の例において、容器本体１の凹所６における傾斜底壁面８の傾斜角αは、水平底壁面９に対して約４５°に形成されているが、３５°〜５５°の範囲で形成することが好ましい。なかでも、４０°〜５０°の範囲に形成すると、開蓋時にフックピース１２の下端部を、上記傾斜底壁面８に沿って動かしやすくなるため、よりスムーズな開蓋が行えるようになるため、より好ましい。
【００３３】
上記の例において、容器本体１の凹所６における水平底壁面９の長さｉは、２．５ｍｍに形成されているが、２〜４ｍｍの範囲で形成することが好ましい。なかでも、２〜３ｍｍの範囲に形成することがより好ましい。すなわち、短か過ぎると、フックピース１２の下端が閉蓋状態で当接しにくい傾向がみられ、逆に、長過ぎると意味なくスペースを取ることになり、容器の小型化に反する傾向がみられるためである。
【００３４】
上記の例において、フックピース１２の裏面の中央部分が、蓋体２の被係合部１４に対応する部分を切欠いた縦溝部２０に形成されているが、コンパクト容器のサイズやその厚みによっては、被係合部１４との間に充分なスペースを設けることが可能であるため、その場合には設けなくてもよい。また、フックピース１２の下端縁が奥側に向かって延びる凸部１２ａを含み、その突出幅ｈが約１．５ｍｍに形成されているが、突出幅ｈは、０．５〜２．５ｍｍの範囲で形成することが好ましい。なかでも、フックピース１２の揺動し易さと、容器本体１の凹所６の水平底壁面９との当接面積の点から、１．０〜２．０ｍｍの範囲に形成することがより好ましい。なお、フックピース１２の下端自体が、上記水平底壁面９と充分に当接している場合には、凸部１２ａを設けなくてもよい。
【００３５】
本発明のコンパクト容器は、フックピースの揺動中心、すなわち、蓋体の、フックピースの係合軸部と係合する係合凹部が、蓋体の被係合部より手前側に設けられることを最大の特徴としている。したがって、蓋体の係合凹部を、被係合部より手前側に設けることができれば、必ずしも前記の金型を用いる必要はなく、その形成方法は任意である。
【００３６】
なお、本発明のコンパクト容器の形状は、図１に示すような略四角形だけでなく、略楕円形、略台形等、様々の形状とすることができる。
【産業上の利用可能性】
【００３７】
本発明は、蓋体の開閉操作が容易であり、小型化が求められるコンパクト容器に利用可能である。
【符号の説明】
【００３８】
１          容器本体
２          蓋体
６          凹所
６ａ，６ｂ  左右の垂直部
７          奥側垂直部
８          傾斜底壁面
９          水平底壁面
１２        フックピース
１３        凹部
１４        被係合部
【図１】
0005693111.tif 000002
【図２】
0005693111.tif 000003
【図３】
0005693111.tif 000004
【図４】
0005693111.tif 000005
【図５】
0005693111.tif 000006
【図６】
0005693111.tif 000007
【図７】
0005693111.tif 000008
【図８】
0005693111.tif 000009
【図９】
0005693111.tif 000010
【図１０】
0005693111.tif 000011
【図１１】
0005693111.tif 000012
【図１２】
0005693111.tif 000013
【図１３】
0005693111.tif 000014